(57)【要約】【課題】踵部分（５０）を有してなるシューズ用ソールにおいて、費用効率的に製造でき、発泡材料を使用せずに踵部分に良好な緩衝特性を与える。【解決手段】踵部分（５０）が、足の踵に実質的に対応する形状を有するヒール・カップ（５１）と、ヒール・カップ（５１）の下に配置された複数の側壁（５２）であって、他の側壁（５２）とは別の後側壁を含む側壁と、側壁（５２）の内の少なくとも１つを別の側壁（５２）に連結する少なくとも１つの引張部材（５３）とを有してなる。ヒール・カップ（５１）、側壁（５２）および少なくとも１つの引張部材（５３）が単体として一体製造されている。【選択図】図２
2006218308.tif 000002
【特許請求の範囲】
【請求項１】
踵部分（５０）を有してなるシューズ用ソール（１０）において、前記踵部分（５０）が、
a.  足の踵に実質的に対応する形状を有するヒール・カップ（５１，５１’）またはヒール・リム（５１”）、
b.  前記ヒール・カップまたは前記ヒール・リムの下に配置された複数の側壁（５２，５２’，５２”，５２”’，７０）であって、他の側壁（５２，５２’，５２”，５２”’）と別の後側壁（７０）を含む側壁、
c.  前記側壁（５２，５２’，５２”，５２”’，７０）の内の少なくとも１つを別の側壁（５２，５２’，５２”，５２”’，７０）または前記ヒール・カップ（５１，５１’）または前記ヒール・リム（５１”）に連結する少なくとも１つの引張部材（５３，５３”，５３”’）、
を有してなり、
d.  前記ヒール・カップ（５１，５１’）または前記ヒール・リム（５１”）、前記複数の側壁（５２，５２’，５２”，５２”’，７０）および少なくとも１つの引張部材（５３，５３”，５３”’）が単体として一体製造されている、
ことを特徴とするシューズ用ソール（１０）。
【請求項２】
前記踵部分（５０）が、前記引張部材（５３）に接続された外側壁および内側壁（５２，５２’，５２”）を含むことを特徴とする請求項１記載のシューズ用ソール（１０）。
【請求項３】
前記踵部分（５０）が、前記他の側壁（５２，５２’，５２”，５２”’）とは別の後側壁（７０）をさらに含むことを特徴とする請求項１または２記載のシューズ用ソール（１０）。
【請求項４】
前記側壁（５２，５２’，５２”，５２”’，７０）の少なくとも１つが切抜き（７１）を含むことを特徴とする請求項３記載のシューズ用ソール（１０）。
【請求項５】
前記少なくとも１つの側壁（５２，５２’，５２”，５２”’，７０）が前記切抜き（７１）を複数含むことを特徴とする請求項４記載のシューズ用ソール。
【請求項６】
前記引張部材（５３，５３”’）が前記側壁（５２，５２’，５２”’，７０）の全てを連結していることを特徴とする請求項１から５いずれか１項記載のシューズ用ソール（１０）。
【請求項７】
前記側壁（５２，５２’，５２”，５２”’，７０）の少なくとも１つが、外側に向いて湾曲していることを特徴とする請求項１から６いずれか１項記載のシューズ用ソール（１０）。
【請求項８】
前記引張部材（５３，５３”，５３”’）が、前記側壁（５２，５２’，５２”，５２”’，７０）の少なくとも２つの各々と、該側壁（５２，５２’，５２”，５２”’，７０）のそれぞれの実質的に中央で係合していることを特徴とする請求項１から７いずれか１項記載のシューズ用ソール（１０）。
【請求項９】
前記引張部材（５３）が前記ヒール・カップ（５１）の下に延在し、該ヒール・カップ（５１）の中央領域（５５）で該ヒール・カップの下面に接続されていることを特徴とする請求項１から８いずれか１項記載のシューズ用ソール（１０）。
【請求項１０】
前記踵部分（５０）が、前記複数の側壁（５２，５２’，５２”，５２”’，７０）の下側縁を連結する実質的に水平な接地面（６０，６０”）をさらに含むことを特徴とする請求項１から９いずれか１項記載のシューズ用ソール（１０）。
【請求項１１】
前記接地面の外周が、前記側壁（５２，５２’，５２”，５２”’，７０）の前記下側縁を超えていることを特徴とする請求項１０記載のシューズ用ソール（１０）。
【請求項１２】
前記踵部分（５０）が、前記接地面（６０，６０”）から前記側壁（５２，５２’，５２”，５２”’，７０）に傾斜した向きで延在する少なくとも１つの補強部材（６１，６１’）をさらに含むことを特徴とする請求項１０または１１記載のシューズ用ソール（１０）。
【請求項１３】
前記少なくとも１つの補強部材（６１）が前記接地面（６０，６０”）の中央領域から前記側壁（５２，５２’，５２”，５２”’，７０）に延在することを特徴とする請求項１２記載のシューズ用ソール（１０）。
【請求項１４】
前記少なくとも１つの補強部材（６１，６１”）が、実質的に前記補強部材（５３）と同じ領域において、前記側壁（５２，５２’，５２”，５２”’，７０）で終わることを特徴とする請求項１２または１３記載のシューズ用ソール（１０）。
【請求項１５】
前記ヒール・カップ（５１，５１’）または前記ヒール・リム（５１”）および／または側壁（５２，５２’，５２”，５２”’，７０）および／または前記補強部材（５３，５３”，５３”’）および／または前記補強部材（６１，６１’）が異なる厚さを有することを特徴とする請求項１から１４いずれか１項記載のシューズ用ソール（１０）。
【請求項１６】
前記踵部分（５０）が、熱可塑性ウレタン（ＴＰＵ）を射出成形することによって製造されることを特徴とする請求項１から１５いずれか１項記載のシューズ用ソール（１０）。
【請求項１７】
前記踵部分（５０）が、いくつかのプラスチック材料を多成分射出成形することによって製造できることを特徴とする請求項１から１６いずれか１項記載のシューズ用ソール（１０）。
【請求項１８】
前記踵部分（５０）が発泡材料を含まないことを特徴とする請求項１から１７いずれか１項記載のシューズ用ソール（１０）。
【請求項１９】
請求項１から１８いずれか１項記載のシューズ用ソール（１０）を有するシューズ（１）。
【発明の詳細な説明】
【技術分野】
【０００１】
本発明は、シューズ用ソール、特にミッドソール、およびシューズに関する。
【背景技術】
【０００２】
シューズ、特にスポーツシューズのデザインにおいて、実現すべき、ある程度相反するデザイン目標が数多くある。一方では、スポーツシューズは、体に加わる負荷を緩衝し、生じた力に永久的に抵抗できるべきである。他方では、スポーツシューズは、アスリートの動きの軌道をできるだけわずかしか妨害しないように、軽量であるべきである。
【０００３】
公知のスポーツシューズでは一般に、上述した所望の要件を満たすために、ソール区域に発泡材料を使用している。例えば、エチレン酢酸ビニル（ＥＶＡ）から製造された発泡体は、地面からの反力を緩衝するのにうまく適した変形特性を有する。異なる密度を使用し、他のパラメータを変更することによって、そのような発泡体の動的性質は、異なるタイプのスポーツシューズにおける、または１つのスポーツシューズの異なる部分における異なる負荷を考慮して、幅広く変えることができる。
【０００４】
しかしながら、発泡部材を持つシューズ用ソールには数多くの欠点がある。例えば、ＥＶＡ発泡体の緩衝特性は、周囲の温度に著しく依存する。さらに、発泡緩衝部材の寿命は限られている。繰り返しの圧縮のために、発泡体のセル構造が劣化し、ソール部材が元の動的性質を失ってしまう。ランニング・シューズの場合、この影響は、約２５０ｋｍ走った後に早くも生じてしまう。さらに、異なる密度を持つ発泡ソール部材を備えたシューズの製造には費用が非常にかかるので、均一なＥＶＡ発泡体から製造された連続ミッドソールしか備えていないシューズが製造されることが多い。特に、より大きな密度を持つ硬質発泡体の、比較的重い質量もさらに別の欠点である。最後に、より大きなデザインは同時に動的性質の望ましくない変化を伴うので、発泡材料のソール部材は、異なるシューズのサイズに適用するのが難しい。
【０００５】
したがって、長年に亘り、公知の発泡材料を、軽い質量で同様のまたは良好な緩衝特性を与える他のソール構造であって、温度の影響を受けず、費用効率的に製造でき、長い寿命を持つソール構造により置き換えることが試みられてきた。
【０００６】
例えば、本出願の出願人の特許文献１から５には、このタイプの構造が開示されている。それ以外に、類似のソール構造がコーヘン(Cohen)の特許文献６に開示されている。
【０００７】
しかしながら、従来技術の発泡体を含まないソール・デザインは、これまで賛同を得ていない。主な理由は、ＥＶＡ発泡体の優れた緩衝特性がそのようなデザインでは十分に達成されていないことにある。このことは、特に、ソールに作用する地面からの反力が、アスリートの体重の数倍を超えることがある最大値に到達する踵部分に当てはまる。
【特許文献１】独国特許出願公開第４１１４５５１Ａ１号明細書
【特許文献２】独国公開ＤＥ−ＧＢＭ９２１０１１３号明細書
【特許文献３】独国特許出願公開第４０３５４１６Ａ１号明細書
【特許文献４】欧州特許第０７４１５２９Ｂ１号明細書
【特許文献５】独国特許出願公開第１０２３４９１３Ａ１号明細書
【特許文献６】独国特許出願公開第３８１０９３０Ａ１号明細書
【発明の開示】
【発明が解決しようとする課題】
【０００８】
したがって、本発明の課題は、費用効率的に製造でき、所望であれば、もはや発泡材料を使用する必要がないように、発泡材料を使用せずに踵部分に良好な緩衝特性を与えるシューズ用ソールを提供することにある。
【課題を解決するための手段】
【０００９】
本発明は、踵部分を持つシューズ用ソールによりこの問題を解決する。この踵部分は、それぞれ、足の踵の形状に実質的に対応する形状を有する、ヒール・カップまたはヒール・リムを有してなる。踵部分はさらに、それぞれヒール・カップまたはヒール・リムの下に配置された複数の側壁、および少なくとも１つの側壁を別の側壁もしくはヒール・カップまたはヒール・リムに連結する少なくとも１つの引張部材を有する。ヒール・カップまたはヒール・リム、複数の側壁および少なくとも１つの引張部材は、単体として一体に製造される。
【００１０】
それぞれヒール・カップまたはヒール・リム、その下に配置された側壁および連結引張部材の本発明の組合せのために、足の運びの周期における最初の地面の接触による荷重は、側壁の好ましく弾性的に曲がる剛性によるだけでなく、側壁の曲げに対して作用する引張部材の好ましくは弾性の伸張性によって効果的に緩衝される。
【００１１】
上述した部材は、それぞれヒール・カップまたはヒール・リムと共に単体として設けられているので、高度の構造安定性が得られ、踵部分の変形運動中に踵がしっかりと導かれる。したがって、過度の回内や回外によって生じる足または膝の怪我が防げる。さらに、本発明により単体として提供すると、例えば、一種類以上の適切なプラスチック材料を用いて１つの部材を射出成形することによって、非常に費用効果的な製造が可能になる。試験により、本発明による踵部分が、発泡緩衝要素から製造された踵構造よりその４倍長い寿命を有することが示された。
【００１２】
単体踵部分が、引張部材によって連結された外側壁および内側壁を有することが好ましい。その結果、上からの２つの側壁への圧力荷重が、引張部材への引張荷重に変換される。したがって、この引張部材の材料特性を変化させることによって、地面の反力に対する踵部分の動的応答特性を容易に変えることができる。したがって、ここに説明したシューズ用ソールによって、異なる種類のスポーツの要件またはある使用者の特別の要件に容易に応じられる。このことは、異なる複数の特性を持つシューズ用ソールに１つの射出成形型を使用すべきであるので、射出成形による単体部材の製造に関して特に当てはまる。
【００１３】
単体踵部分が、ある実施の形態において、好ましくは中央切抜き(cut-out)を有する、好ましくは別個の後側壁を有することが好ましい。この切抜きのサイズと配列が、本発明によるシューズ用ソールの最初の地面との接触中の緩衝特性に影響を与える。引張部材が、後側壁を含む全ての側壁を連結することが好ましい。緩衝挙動はさらに、異なる厚さの側壁により、また側壁の湾曲を変更することにより、適応されるであろう。さらに別の可能性は、異なる材料、例えば、異なる硬度の材料を上述したように使用することである。
【００１４】
後側壁の上述した切抜き以外に、他の側壁に代わりのまたは追加のさらに別の切抜きを配置してもよい（図示せず）。緩衝特性の適合以外に、質量を減少させることができる。踵部分の側壁と他の部材のデザインおよび切抜きの正確な配列は、限定部材モデルによって最適化される。
【００１５】
特に好ましい実施の形態において、引張部材は、ヒール・カップの下に延在し、ヒール・カップの下面の中央領域に連結している。この追加の連結によって、単体踵部分の安定性がさらに増す。
【００１６】
単体踵部分が、少なくとも２つの側壁の下側縁を連結する実質的に水平な接地面をさらに有することが好ましい。さらに、単体踵部分が、接地面から側壁に傾斜した向きで延在する少なくとも１つの補強部材を有することが好ましい。接地面の中央領域から側壁に延在する好ましくは少なくとも２つの補強部材であって、それぞれが引張部材として同じ区域で終わっている補強部材を好ましくは対称に配列することが特に好ましい。その結果、単体踵部分は、圧縮下での高い安定性につながり、ソールの動きを剪断変形させる、全体で骨組み状構造を有する。
【００１７】
踵部分が発泡材料を含まないことが好ましい。しかしながら、緩衝特性をさらに改善するために、単体踵部分の空洞に発泡材料を充填することも考えられる。
【００１８】
本発明によるシューズ用ソールのさらに別の改良が、従属請求項に定義されている。
【００１９】
さらに別の態様によれば、本発明は、上述したシューズ用ソールの内の１つを含むシューズに関する。
【発明を実施するための最良の形態】
【００２０】
以下、本発明によるソールおよび踵部分の実施の形態を、スポーツシューズ用のソールを参照してさらに説明する。しかしながら、本発明は、良好な緩衝特性、軽量および長い寿命を有することが意図される他のタイプのシューズに用いても差し支えないことが理解されよう。
【００２１】
図１ａは、発泡緩衝部材を実質的に含まないソール１０を備えたシューズ１の側面図を示している。ハニカム状形状の個々の緩衝部材２０がソールの長手方向に沿って配列されて、発泡ＥＶＡミッドソールにより提供される、スポーツシューズに一般的な緩衝機能と誘導機能を提供しているのが分かる。個々の緩衝部材２０の上側は、アッパー３０の下側、またはシューズのアッパー３０と緩衝部材２０との間に配置される荷重配分プレート（図示せず）のいずれかに、接着、溶着などによって、付着されている。あるいは、個々の緩衝部材２０は、荷重配分プレートと一体に製造されていても差し支えない。
【００２２】
個々の緩衝部材２０の下側が、図１ｂに例示されている、連続アウトソール４０に類似の様式で連結されている。連続アウトソール４０の代わりに、各緩衝部材２０が別個のアウトソール・セクション（図示せず）を有していても差し支えない。本発明のシューズ用ソールのある実施の形態において、緩衝部材２０は、特許文献５から知られているように、構造要素である。
【００２３】
図１ａおよび１ｂに示されたソール構造は、各足の運びの周期における最初の地面との接触中に最大の荷重にさらされる。ランナーのほとんどは、最初に、中足部分による転がしおよび前足部分による押出しの前に、踵で地面に接触する。したがって、図１ａおよび１ｂの発泡体を含まないソール１０の踵部分５０は最大の荷重にさらされる。
【００２４】
図２は、踵部分５０の第１の実施の形態の詳細を示している。踵部分５０は、以下詳細に説明されるように、シューズ用ソール１０の他のデザインとは独立して使用できる。この踵部分は、例えば、上述した緩衝部材２０の代わりに１つ以上の一般的な発泡緩衝部材（図示せず）が用いられているシューズ用ソールに用いてもよい。
【００２５】
２つの実質的に垂直に延在する側壁５２が、内側と外側で下方から、および後方から、踵（図示せず）を取り囲む、解剖学的形状のヒール・カップ５１の下に配置されている。側壁５２の一方が外側に延在し、他方が内側に延在している。側壁５２はすでに、外側にわずかに湾曲した、すなわち、外から見たときに凸状である、踵部分５０の初期構造にあることが好ましい。この湾曲は、踵部分５０全体が圧縮されるとさらに増加する。
【００２６】
引張部材５３としてのほぼ水平の表面が、ヒール・カップ５１の下に配置され、内側壁５２の中心から外側壁５２の中心に実質的に延在している。踵部分５０への荷重の下（図２の垂直の矢印）、２つの側壁５２が外側方向に湾曲すると、引張部材５３が張力にさらされる（図２の水平の矢印）。その結果、例えば、ソール１０の地面との接触中に、踵部分の動的応答特性が、側壁５２の曲げ剛性と引張部材５３の伸張性との組合せによって決まる第１の概算にある。例えば、より厚い引張部材５３および／または使用される材料のために伸張に一層大きな力を必要とする引張部材５３のために、踵部分５０のより強力な緩衝特性が得られる。
【００２７】
以下にさらに説明する、引張部材５３および補強部材６１、並びに側壁５２および踵部分５０のさらに別の構成部材は、説明する好ましい実施の形態において、平面部材として提供される。しかしながら、そのようなデザインは必ずしも必要ない。反対に、例えば、引張支柱などとして、前記部材の１つ以上を別のデザインで提供することも認められる。
【００２８】
引張部材５３が、側壁の湾曲の中心点で側壁５２に連結されていることが好ましい。引張部材がないと、踵部分への荷重中に、外側に最大の膨らみが生じるであろうから、ここでは引張部材が最も効果的である。一般に５〜１０ｍｍの範囲にある好ましくは平面の引張部材の厚さは、例えば、約５％から１５％だけ、側壁に向かって徐々に増加する。引張部材５３は、２つの側壁の間の中央で最小の厚さを有する。引張部材５３と側壁５２との間の連結のこのような補強によって、この位置で材料が破損する虞が減る。
【００２９】
さらに、図２は、引張部材５３およびヒール・カップ５１の下面が、好ましい実施の形態において、中央領域５５で連結されていることを示している。特に、踵部分５０への剪断荷重の場合、そのような荷重は、走る向きを突然変えるときに起こるので（例えば、バスケットボールなどのスポーツにおけるように）、ヒール・カップ５１と引張部材５３との連結が有利であることが分かった。バスケットボール・シューズに特に適した別の実施の形態を、後に図１１ａ、１１ｂを参照してさらに説明する。
【００３０】
さらに、図２および３は、骨組みにおけるように、ヒール・カップ５１の下で踵部分５０を安定化させるように働く追加の表面を開示している。内側壁と外側壁５２の下側の縁を連結する接地面６０が見える。上側縁でヒール・カップ５１と、中央で引張部材５３と共に、接地面６０が、内側壁および外側壁５２の構造を画成する。それゆえ、接地面はさらに、高く跳躍した後の着地などのピーク荷重の場合、踵部分５０が壊れるのを防ぐのに寄与する。
【００３１】
さらに、追加のソール層、例えば、図１ａおよび１ｂに示すようなアウトソール４０、または追加の緩衝層（図示せず）を接地面６０に取り付けても差し支えない。そのようなさらに別の緩衝層は、上述した踵部分上に、代わりにまたは追加に配置されていてもよい。
【００３２】
単体踵部分５０の接地面６０はそれ自体、アウトソールの機能を直接有し、適切なプロファイル（図示せず）を有していてよい。このことは、特別に軽量のシューズを提供すべき場合に、特に意味のあることである。図２および３に示したように、接地面６０の外周は、例えば、比較的幅の狭いシューズのために接地面により広い領域を提供すべき場合、側壁５２の下側の縁を超えている。
【００３３】
さらに、図２および３は、接地面の中央から外側の傾斜した向きで側壁５２にほぼ延在する２つの補強部材６１を開示している。補強部材６１は引張部材５３の真下で側壁５２に係合している。補強部材６１はそれによって、踵部分５０への圧力荷重の下で側壁５２の変形を追加に安定化する。さらに、有限要素分析に関する研究によって、補強部材６１が、上述した剪断荷重にさらされた場合、踵部分５０を著しく安定化することが示された。
【００３４】
図４および５は、図２および３の踵部分５０の後方部分を示している。踵部分５０の後端、それゆえシューズ用ソール１０の後端を形成する実質的に垂直な後側壁７０が示されている。側壁５２の場合におけるように、後側壁７０は、踵部分５０が圧縮されたときに、外側に湾曲する。したがって、引張部材５３も、上から（例えば、図５の垂直の矢印）の荷重の場合、後側壁７０のさらなる湾曲によって、引張部材５３が後方に伸張するように（例えば、図５の水平の矢印）後側壁７０に連結されている。
【００３５】
後側壁７０の場合でも、引張部材５３は中央区域に実質的に係合している。図２から５の実施の形態においては、補強部材６１は後側壁７０には連結していないが、補強部材６１を、側壁５２と同様に、後側壁７０に延在させて、踵部分５０をさらに補強することが考えられる。
【００３６】
さらに、図５はこの実施の形態のさらなる詳細を示している。接地面６０の最後方セクション６５は、地面との接触および滑らかな転がり(roll off)を促進するようにわずかに上方に角度が付けられている。
【００３７】
図６から８は、先に詳述した実施の形態の改変を示している。以下において、図２から５の踵部分と比較したこれらの実施の形態の差のみを説明する。
【００３８】
図６は、切抜き７１が後側壁７０に配置されている踵部分を示している。切抜き７１の形状とサイズが、地面との接触中の踵部分５０の剛性に影響を与えることができる。このことが図９および１０に示されている。図９は、ＩＮＳＴＲＯＮ測定装置を用いてある距離だけ踵部分５０を垂直に圧縮するのに必要な力（Ｙ軸）を示している。このＩＮＳＴＲＯＮ測定装置は、張力、圧縮、曲げおよび摩擦などの下での材料の性質を試験するための、当業者に公知の一般的な試験機器である。両方の実施の形態はほぼ線形のグラフを示している、すなわち、緩衝特性は滑らかであり、６ｍｍまでの大きいゆがみでさえも、踵部分５０はつぶれない。より詳しい検査によって、図６の踵部分５０が、切抜き７１のために、わずかに低い剛性を有する、すなわち、同じゆがみで、わずかに小さい復元力になることが示されている。
【００３９】
類似の結果が角負荷試験により得られた。その結果が図１０に示されている。この検査において、プレートは、最初に、ソールの平面に関して３０°の角度で踵部分５０の後方縁と接触している。その後、角度を減少させて、踵部分５０の復元力を測定する。このとき、踵部分５０は、プレートの回転点に関して固定されたままである。この検査構成は、地面との接触および転がりの最中の状況を、単独の垂直荷重よりも現実的な様式で反映している。
【００４０】
ここでも、後側壁７０に切抜き７１を有する実施の形態は、図２〜５の実施の形態よりもわずかに小さい復元力を提供している。両方の実施の形態について、このグラフは、広い範囲に亘り（２３°まで）ほぼ線形である。
【００４１】
図２〜６の実施の形態はシューズ用ソール１０の縦軸に関して実質的に対称であるが、図７はさらに別の実施の形態の正面図を示している。ここでは、側壁５２’は、他の側壁５２よりも高い。より高い側壁５２’が踵部分５０の内側か外側に配置されているかに応じて、例えば、回内や回外の影響を弱めるために、足を、地面との接触中に特定の方向にもっていくことができる。
【００４２】
最後に、図８ａ〜ｈは、本発明のさらに別の複数の実施の形態の正面図を開示しており、ここでは、上述した部材が改変されている。
【００４３】
−  図８ａにおいて、ヒール・カップ５１の下に、２つの別個の構造体が内側と外側に配置されている。その結果、外側壁と内側壁５２，並びに独立した内側と外側の引張部材５３”に加えて、２つの追加の中央側壁５２”が得られる。また、この実施の形態において、接地面６０”が２つの部分に分割されている。
【００４４】
−  図８ｂは、補強部材６１を持たず、ヒール・カップ５１’および引張部材５３’の間の連結を持たない単純な実施の形態を示している。そのような構成は、上述した実施の形態よりも軽量であり、軟らかい。しかしながら、剪断荷重に対する安定性が低い。
【００４５】
−  反対に、図８ｃの実施の形態は、ヒール・カップ５１’と接地面６０との間の空洞を対角線上に架橋している４つの補強部材６１’が一緒に与えられているので、特に安定である。
【００４６】
−  図８ｄ〜８ｆの実施の形態は、図２〜５の上述した実施の形態に類似している。しかしながら、追加の補強部材６１’が、それ自体は引張部材５３’に直接は連結されていないヒール・カップ５１の中央領域５５’と引張部材５３’との間に延在するように配置されている。これら３つの実施の形態は、補強部材６１’から引張部材５３’への接続が異なっている。図８ｄの実施の形態において、接続点は、引張部材５３”の外側と内側の縁にあるが、図８ｅ、および特に図８ｆの実施の形態においては、引張部材５３’の中央にさらに動かされている。
【００４７】
−  図８ｇおよび８ｈの実施の形態は、第１の引張部材５３の下に第２の引張部材５３’を有する。第１の引張部材５３はこれらの実施の形態においてはわずかに上方に湾曲しているが、第２の引張部材５３’は下方に向いた湾曲を有する。図８ｇの実施の形態において、第２の引張部材５３’は、第１の引張部材５３と同様の様式で、内側壁と外側壁との間の全距離を架橋している。図８ｈの実施の形態において、第２の引張部材５３’は、実質的に補強部材６１の中点間に延在している。
【００４８】
図１１ａおよび１１ｂは、特にバスケットボール・シューズに使用するのに適した、さらに好ましい実施の形態を示している。図１１ａから直ちに分かるように、バスケットボールにおいて生じる著しい圧縮と剪断荷重に対して構造体を補強するために、２つの追加の内側壁５６が設けられている。図１１ｂは、この実施の形態が、上述したように、より高い圧縮安定性を達成する連続した後側壁７０を有することを示している。概して、比較的平らな構成で特に安定な構造が得られる。これは、必要であれば、追加の内側側壁５６（図示せず）の配置によってさらに補強してもよい。
【００４９】
図１２は、連続したヒール・カップ５１の代わりに、ヒール・リム５１”が配置されているさらに別の実施の形態を示している。踵部分の緩衝動作中に足をしっかりと導くために、上述した実施の形態からのヒール・カップ５１のように、ヒール・リム５１”は解剖学的形状を有する、すなわち、人間の踵の形状に実質的に対応する湾曲を有する。したがって、ヒール・リムも、足を内側と外側から、そして後方から取り囲む。ヒール・リムは、実施の形態に応じて、異なるサイズのものであってよい中央の切抜き５８だけ、ヒール・カップとは異なる。この差によって、特別な緩衝特徴を達成するために、踵の踵骨の真下のさらに別の緩衝部材の、例えば、発泡材料の配置が可能になる。
【００５０】
最後に、図１３の実施の形態において、上述した実施の形態のわずかに曲げられた側壁５２の代わりに、角度のついた側壁５２”’が用いられている。さらに、この実施の形態の引張部材は、２つの側壁５２”’を直接連結していないが、２つの引張部材５３”’のの各々が１つの側壁５２”’をヒール・カップ５１に連結している。図１３と図１２の点線は、これらの２つの実施の形態において追加の接地面６０を提供してもよいことを示している。
【００５１】
上述したヒール・カップ５０の改変を複数考えられることが分かる。したがって、上述した実施の形態は例示と考えるべきであり、ヒール・カップ、側壁、引張部材、補強部材および接地面の組合せがさらにたくさんある。
【００５２】
最後に、上述した部材の構成から生じる複数の空洞を、緩衝のために用いてもよい。この目的のために、空洞は気密様式で封止されていても、または、例えば、発泡材料、ゲルなどから製造された追加の緩衝部材が空洞の内部に配置されて（図示せず）いてもよい。
【００５３】
踵部分の下の骨格状構造の幾何学的配置は別にして、踵部分の動的性質を決定するのは、材料の選択である。踵部分の一体に連結された部材は、適切な熱可塑性ウレタン（ＴＰＵ）を射出成形することによって製造することが好ましい。所望であれば、高い引張荷重にさらされる、引張部材などの特定の部材は、踵部分５０の残りとは異なるプラスチック材料から製造して差し支えない。単体踵部分５０にさらに別のプラスチック材料を使用することは、いくつかのスプルーを持つ適切な射出成形器具によって、または１つのスプルーによる共射出成形によって、もしくは二種類以上のプラスチック材料の連続射出成形によって、容易に達成できる。
【図面の簡単な説明】
【００５４】
【図１ａ】本発明によるシューズの実施の形態の側面図
【図１ｂ】本発明によるシューズの実施の形態の底面図
【図２】図１のシューズ用ソールの踵部分の第１の実施の形態の詳細正面図
【図３】図２の踵部分の斜視図
【図４】図２の踵部分の背面図
【図５】図２の踵部分の側面図
【図６】踵部分のさらに別の実施の形態の背面図
【図７】踵部分のさらに別の実施の形態の正面図
【図８】踵部分のさらに別の実施の形態の概略図
【図９】図２および図６の踵部分の実施の形態の垂直変形特性を比較するグラフ
【図１０】踵部分の接触縁への負荷の下での図２および図６の踵部分の実施の形態の変形特性を比較するグラフ
【図１１ａ】バスケットボール・シューズに特に適した、踵部分のさらに別の実施の形態の斜視図
【図１１ｂ】バスケットボール・シューズに特に適した、踵部分のさらに別の実施の形態の背面図
【図１２】ヒール・カップの代わりのヒール・リムを有するさらに別の実施の形態の概略図
【図１３】側壁とヒール・カップとの間に延在する、引張部材および角度付き側壁を有するさらに別の実施の形態の概略図
【符号の説明】
【００５５】
１    シューズ
１０    ソール
２０    緩衝部材
４０    アウトソール
５０    踵部分
【図１ａ】
2006218308.tif 000003
【図１ｂ】
2006218308.tif 000004
【図２】
2006218308.tif 000005
【図３】
2006218308.tif 000006
【図４】
2006218308.tif 000007
【図５】
2006218308.tif 000008
【図６】
2006218308.tif 000009
【図７】
2006218308.tif 000010
【図８】
2006218308.tif 000011
【図９】
2006218308.tif 000012
【図１０】
2006218308.tif 000013
【図１１ａ】
2006218308.tif 000014
【図１１ｂ】
2006218308.tif 000015
【図１２】
2006218308.tif 000016
【図１３】
2006218308.tif 000017